(57)【要約】【課題】被写界を撮像する撮像装置において、被写界像を結像するレンズの表面に指が触れてしまうことを防ぐこと。【解決手段】撮像装置の一例であるデジタルカメラ1は、集光部3、発光部5、レリーズシャッタ部7を含み、レリーズシャッタ部7を、デジタルカメラ1において集光部3が位置する側に設ける。このようにレリーズシャッタ部7を設ける位置を、集光部3が設けられた側にすることによって、撮影時は、集光部3側を支える手の人差指がレリーズシャッタ部7を操作するようになるため、集光部3の表面に人差指が掛かることを防ぐことが可能になる。【選択図】図１
2007293014.tif 000002
【特許請求の範囲】
【請求項１】
被写界からの光により像を結ぶ集光手段と、該集光手段により結像された像を撮像する撮像手段とを含む撮像装置であって、該装置は、
前記集光手段の近傍に設けられ、前記像を記録するタイミングを前記撮像装置に知らせる操作手段を含むことを特徴とする撮像装置。
【請求項２】
請求項１に記載の装置において、前記操作手段は、前記撮像装置の上面における前記集光手段の近傍に設けられていることを特徴とする撮像装置。
【請求項３】
請求項１に記載の装置において、前記集光手段は、前記撮像装置の右側および左側のいずれか一方に設けられていることを特徴とする撮像装置。
【請求項４】
請求項１に記載の装置において、該装置はさらに、前記集光手段の下側に設けられ、前記撮像装置の使用時に撮影者の指を係止させて、該集光手段に撮影者の指が触れるのを防止する接触防止手段を含むことを特徴とする撮像装置。
【請求項５】
請求項４に記載の装置において、前記接触防止手段は、前記撮像装置に着設する着設手段を含むことを特徴とする撮像装置。
【請求項６】
請求項４に記載の装置において、前記接触防止手段は、形状が可変であることを特徴とする撮像装置。
【請求項７】
請求項４に記載の装置において、該装置はさらに、前記集光手段の前方に設けられ、該装置を使用しない場合に集光手段の表面を保護する保護手段を含み、
前記接触防止手段は、該保護手段に配されていることを特徴とする撮像装置。
【発明の詳細な説明】
【技術分野】
【０００１】
本発明は、撮像装置に関する。
【背景技術】
【０００２】
例えば銀塩カメラ、デジタルカメラ、ビデオカメラ等の撮像装置では、被写界の像は、レンズ系を通して結ばれる。よってレンズ系、とくにレンズ系のうち最も外側に位置するレンズや保護板の表面が汚れてしまうと、レンズ系によって結ばれた被写界の像、すなわち被写界像が、ぼけてしまったり、暗くなってしまい、その結果、撮影により得られた画像の質が劣化してしまっていた。このようなレンズ系の汚れは、撮影時にレリーズシャッタボタンを押す際、レンズ系のうち最も外側に位置するレンズや保護板の表面に誤って指が触れてしまったことが原因であることが多かった。
【０００３】
そこでこのような問題を解決するために、例えば特許文献１には、撮影時に指を係止する指掛かり部をレンズカバーに設け、レンズ系のうち最も外側に位置するレンズや保護板の表面、すなわちレンズ系の表面に指が触れることを防ぐことが開示されている。また例えば特許文献２には、撮像により得られた画像からレンズ系の表面の汚れを検出して警告を出すようにすることが開示されている。また例えば特許文献３には、撮像装置を使用しない場合において、レンズ系の前方に設けられるレンズキャップに、クリーナ部材を設けて、レンズキャップの開閉と共にレンズ系の表面の汚れを除去することが開示されている。
【特許文献１】特開２００２−２７７９２８号公報
【特許文献２】特開２００１−１１９６１４号公報
【特許文献３】特開平０５−３４７６８号公報
【発明の開示】
【発明が解決しようとする課題】
【０００４】
しかし上述やり方では、レンズの表面に指が触れてしまうことを十分に防ぐことができなかった。また特許文献２が示すように撮像により得られた画像から汚れを検出するやり方では計算量が増えてしまったり、特許文献３が示すようにレンズキャップにクリーナ部材を設けるやり方ではクリーナ部材を設ける工程が増えるため製造コストがかかってしまう等の問題を有していた。
【０００５】
そこで本発明はこのような従来技術の欠点を解消し、余計な素子を用いなくても、撮像時においてレンズに指が触れてしまうのを防ぐことが可能な撮像装置を提供することを目的とする。
【課題を解決するための手段】
【０００６】
上述の課題を解決するために、本発明による撮像装置は、レリーズシャッタボタンを、レンズ系の近傍であって、レンズ系よりも上側に、より好ましくは撮像装置の上面に設ける。このようにレリーズシャッタボタンを、レンズ系の近傍に設けることにより、撮影者の指がレンズ系の表面に接触することを防ぐことが可能になり、レンズ系の表面が汚れることを防ぐことが可能になる。
【０００７】
また本発明では、レンズ系の下側に、撮影者の指を係止させて、レンズ系の表面に撮影者の指が触れるのを防止する接触防止手段を設ける。よって、撮影時に、レリーズシャッタボタンを押す指以外の指、例えば中指等がレンズ系の表面に触れてしまうのを防ぐことが可能になり、レンズ系の表面が汚れてしまうことをより防ぐことが可能になる。なお接触防止手段は、撮影者に応じて設ける位置や形状を変えることが可能である。また撮像装置にレンズ系の表面を保護する保護カバー等が設けられている場合は、この撮像装置に接触防止手段を設けることも可能である。
【発明の効果】
【０００８】
本発明によれば、レリーズシャッタボタンを、レンズ系の近傍に設けるため、撮影時にレンズ系の表面に指が接触してしまうことを防ぐことが可能になり、その結果、良好な画像を得ることが可能になる。またレリーズシャッタボタンの位置を変更するのみであるため、余計な素子を設けなくてもレンズ系の表面を汚してしまうことを防ぐことが可能である。さらにレンズ系の下側に、撮影者の指を係止させてレンズ系の位置を示す接触防止手段を設けることで、レンズ系の表面を汚してしまうことをより防ぐことが可能になる。
【発明を実施するための最良の形態】
【０００９】
次に添付図面を参照して本発明による撮像装置の実施例を詳細に説明する。図１は、本発明に係わる撮像装置の一例としてデジタルカメラ1の正面を概念的に示した図である。図１において、デジタルカメラ1は、集光部3、発光部5、レリーズシャッタ部7を含んでいる。
【００１０】
またデジタルカメラ1は、図示しないが、内部に撮像部、前処理部、信号処理部、表示部、記録部、メディア制御部、およびメディアを含み、被写界からの入射光を基にしてデジタル画像信号を形成する。より具体的に説明すると、デジタルカメラ1は、被写界からの光を集光部3において取り込むとともに、レリーズシャッタ部7が操作されることにより制御部、光学系駆動部および撮像駆動部が制御されて撮像部でこの被写界像を撮像し、撮像により得られたアナログ電気信号を、前処理部で処理してデジタル画像信号に形成す、このデジタル画像信号を信号処理部で処理して表示部に表示したり、メディアに記憶する。なお本発明の理解に直接関係のない部分は、図示を省略し冗長な説明を避ける。
【００１１】
図１において、集光部3は、被写界からの光を取り込んで像を結ぶものであり、デジタルカメラ1における光が照射する側の面に設けられている。本実施例では、集光部3は、図示しないがレンズを含み、このレンズによって像を結ぶ。レンズは、１枚であってよいし、同軸上に複数枚設けられていてもよく、任意の数を採用することが可能である。また集光部3は、最も外側のレンズの表面を保護するために、集光率を実質的に1とした透明な保護板等を含んでいてもよい。このような集光部3は公知のものを採用することが可能であり、本実施例に限定するわけではない。
【００１２】
またレリーズシャッタ部7は、ユーザによって操作されて動作タイミングや動作モードをデジタルカメラ1に知らせるものである。本実施例では、レリーズシャッタ部7は、半押し/全押し操作が可能なレリーズシャッタボタンであり、例えばユーザによる半押し操作に応じて、所定の絞りに調節するAE（Automatic Exposure）の動作や、画像を結像させるAF（Automatic Focus）の動作が行われる。またユーザによる全押し操作により、撮影、すなわち、形成されたデジタル画像信号をメモリやメディアに記録するタイミングを、デジタルカメラ1のシステム制御部に操作信号として送る。デジタルカメラ1は、この全押し操作により送られたタイミングに応じて、撮像により形成されたデジタル画像信号をメモリやメディアに記録する。
【００１３】
発光部5は、例えば被写界の明るさが不足している場合における撮影時に被写界に閃光を照射するものである。発光部は公知のものを採用することが可能であり、例えば閃光電球やストロボなどを用いたものを採用することが可能であるが、本発明はこれに限定するわけではない。
【００１４】
このようなデジタルカメラ1において、従来では例えば、図２、図３に示すようにレリーズシャッタ部は、デジタルカメラにおいて集光部とは反対側に設けられていた。図２は従来のデジタルカメラ11の正面を概念的に示した図である。また図３は図２に示すデジタルカメラ11における使用時の状況を概念的に示した図である。
【００１５】
図２、図３において、集光部13、発光部15、およびレリーズシャッタ部17は図１に示す集光部3、発光部5、およびレリーズシャッタ部7と同様のものであるため説明を省略する。従来では図２に示すように、レリーズシャッタ部17は、デジタルカメラ11において集光部13が設けられた側と対向する側に設けられていた。例えば図２では、集光部13が図２において右側に設けられているのに対し、レリーズシャッタ部17は図２において左側に設けられている。
【００１６】
このようにレリーズシャッタ部17が集光部13とは対向する側に設けられている場合では、図３に示すようにレリーズシャッタ部17を操作して撮影を行なう際に、ユーザの、レリーズシャッタ部17を操作する手21とは反対側の手23が集光部13にかかってしまうことがあった。これは、撮影時では、ユーザがレリーズシャッタ部17を操作することに集中しているため、デジタルカメラ11を支えている手23に注意が向かないことに原因がある。
【００１７】
その結果、集光部13の表面、具体的には、集光部13における最も外側のレンズ、またはレンズのさらに前に透明な保護板が設けられている場合は保護板の表面に指が触れてしまい、集光部13の表面に、例えば指紋や手についていた塵等が付着したり、指を撮影してしまったりする等の問題が生じていた。このような問題は、例えば銀塩カメラ、デジタルカメラ、ビデオカメラ等の撮像装置が小さくなればなるほど、またこれら撮像装置の厚みが薄くなればなるほど生じやすく、また撮影時に集光部が突出しない撮像装置であるほど生じやすかった。
【００１８】
とくに、デジタルカメラの場合、デジタルカメラ自体を小さく、かつ薄く形成しようとすると、集光部をデジタルカメラの中央に位置させることが困難になって、集光部がデジタルカメラにおける左右どちらか一方に位置するようになることが多い。その結果、撮影時に集光部の表面に指が触れてしまったり、指を撮影してしまったり等の問題が生じやすかった。
【００１９】
そこで本実施例では、図１に示すように、レリーズシャッタ部を集光部の近傍であって、集光部よりも図１において上側に配置させる。このようにレリーズシャッタ部を集光部の近傍であって、集光部よりも上側に配置することにより、撮影時に集光部に指が触れてしまうことを防ぐことが可能になる。以下詳細に説明する。
【００２０】
図１において、レリーズシャッタ部7は、デジタルカメラ1において集光部3が位置する側に設けられている。具体的には、図１における上側の面、すなわちデジタルカメラ1における上面21であって、集光部3の近傍に設けられている。なおこのように、レリーズシャッタ部7を上面21に設けているのは、図１に示す例では、上面21を上、上面21と対向する面29を底面としてデジタルカメラの上下を定義しているためである。よって、本発明はこれに限定するわけではなく、撮像装置においてどの部分を上、また下にするかに応じて、レリーズシャッタ部7と集光部3との上下関係を任意に決めることが可能である。
【００２１】
このようにレリーズシャッタ部7を上面21における、集光部3の近傍に設けると、撮影時は、図４に示すように、集光部63が設けられた側、すなわち、レリーズシャッタ部7が設けられた側のユーザの手23は、その人差指25が、レリーズシャッタ部7におけるレリーズシャッタボタンを押すためにデジタルカメラの面21に位置するようになる。この人差指25は、従来のデジタルカメラ11において、集光部13に接触しやすかった指であるため、このように人差指25をデジタルカメラ1の面21に位置させることで、人差指25が集光部3に接触するのを防ぐことが可能になる。
【００２２】
図５は、図１に点線αで囲んだ部分を拡大したものを概念的に示した図であり、集光部3、およびレリーズシャッタ部7の近傍を概念的に示した図である。図５を用いて、レリーズシャッタ部7が設けられる位置について詳細に説明する。なお図５において図１と同じ参照番号は同様の構成要素を示すため説明を省略する。
【００２３】
図５において、レリーズシャッタ部7は、図５に矢印41で示すように、集光部3における、左側の端部、すなわちデジタルカメラ1の中央側の端部43を通る垂線aよりも右側、すなわちデジタルカメラ1の外側に、レリーズシャッタ部7の中央47が位置するように設けたほうが好ましく、さらには、図５に矢印49で示すように集光部3の中央51を通る垂線bよりも外側にレリーズシャッタ部7の中央47が位置するように設けるのがよい。
【００２４】
このように、レリーズシャッタ部7を、集光部3の近傍であって、デジタルカメラ1における集光部3が設けられた側の端部の近傍に設けたほうが、集光部3の表面を指で触ってしまうことを防ぐことが可能になると共に、撮影時、すなわちデジタルカメラ1を両手で固定した際に、レリーズシャッタ部7を操作しやすくなって、他の指、例えば本実施例で説明すると手23の中指51等が集光部3に触れてしまうのを防ぐことがより可能になるため好ましい。例えば本実施例では、集光部3の中央51を通る垂線bとレリーズシャッタ部7の中央が重なるように、集光部3とレリーズシャッタ部7とが設けられている。
【００２５】
なお本発明はこれに限定するわけではなく、レリーズシャッタ部7は、デジタルカメラ1において集光部3よりも上側であって、集光部3の近傍であれば、集光部3の位置に応じて任意の位置に設けることが可能である。また集光部3も撮像装置に応じて任意の位置に設けることが可能である。例えば図１に示す例では、集光部3が図１において右上、すなわちデジタルカメラ1の右上に設けられているが、図６に示すように図１において左上、すなわちデジタルカメラの左上に設けることも可能である。
【００２６】
図６は、本発明に係わる撮像装置の別の一例としてデジタルカメラ61の正面を概念的に示した図である。図６に示すデジタルカメラ61では、集光部63およびレリーズシャッタ部67が図１に示すデジタルカメラ1と対向する側、すなわち左上に設けられている。なお図６に示すデジタルカメラ61では、集光部63、およびレリーズシャッタ部67の位置が異なるだけで、集光部63、およびレリーズシャッタ部67は、図１に示す集光部3、およびレリーズシャッタ部7と同様である。
【００２７】
なお集光部3、63、およびレリーズシャッタ部7、67をどちら側に位置させるかは撮像装置に応じて任意に決めることが可能である。例えば右利きの人用には、レリーズシャッタ部が右側に、逆に左利きの人用にはレリーズシャッタ部が左側に位置するように集光部、およびレリーズシャッタ部を配置させるようにしてもよい。なお本発明はこれに限定するわけではない。
【００２８】
また発光部5は、本実施例では図１および図６に示すように、集光部3、63、およびレリーズシャッタ部7、67の位置の変更に関係なく同じ位置にある。なお本発明はこれに限定するわけではなく、発光部5は、集光部3、63、およびレリーズシャッタ部7、67の位置の変更に伴い、その位置を変えるようにしてもよいし、逆に集光部3、63、およびレリーズシャッタ部7、67の位置の変更に関係なく、位置を一定にしてもよく、任意の位置に設けることが可能である。
【００２９】
以上のようにして本実施例では、レリーズシャッタ部7、67を集光部3、63の近傍に設ける。よって、従来のデジタルカメラにおいて撮影時に集光部3に掛かっていた人差指23でレリーズシャッタ部7を操作するようになるため、撮影時に集光部3に指が掛かってしまうことを防ぐことが可能になる。とくに、例えばデジタルカメラやカメラが設けられている携帯電話のように、集光部から撮像装置の端部までの距離が短いために、撮像装置を保持しながら撮影を行なおうとすると、集光部に指が触れてしまったり、指が掛かりやすい場合において、上述したようにレリーズシャッタ部を集光部の近傍に設けることは効果がある。また本実施例では、レリーズシャッタ部の位置を変えるだけであるため、余計な素子を必要としない。よって、製造コストを上げることなく、集光部に指が掛かってしまうことを防ぐことが可能になる。
【００３０】
また、レリーズシャッタ部を集光部の近傍に設けた際は、例えば、レリーズシャッタボタンと集光部とを設けた側と対向する側、すなわち図４における手21の側では、撮影の際に必要となるものが何も設けられないようになるため、より安定してデジタルカメラ1を固定することが可能になる。さらに図示しないが、デジタルカメラ1における集光部3が設けられた面と対抗する面、すなわち撮影時にユーザ側に向く面に液晶ディスプレイ等の表示部を設ける場合には、この表示部も集光部3が設けられた側に設けて、デジタルカメラ1における手21で保持される側に何も設けないほうが、より安定して保持することが可能になるため好ましいが、本発明はこれに限定するわけではない。
【００３１】
なお本実施例では、撮像装置としてデジタルカメラ1を採用しているが、本発明はこれに限定するわけではなく、撮像装置は、集光部、およびレリーズシャッタ部を含み、被写界を撮像するものであれば、任意のものを採用することが可能である。例えば、銀塩カメラ、デジタルカメラ、ビデオカメラ、カメラが付いた携帯電話等が挙げられるが、本発明はこれらに限定するわけではない。
【００３２】
図７は、本発明に係わる撮像装置の別の一例としてデジタルカメラ101の正面を概念的に示した図である。図７において、図１と同じ参照番号は同様の構成要素を示す。図７に示す例では、集光部3の下側に接触防止部103が設けられている。この接触防止部103は、撮影時にデジタルカメラ101を手で支えた際に、レリーズシャッタ部7を操作する指以外の指、例えば本実施例では中指等が集光部3に掛かったり、触れたりしないように、この中指等を係止させるものである。よって、撮影時に、指が集光部3に掛かってしまったり、触れてしまったりすることをより防ぐことが可能になる。
【００３３】
図８は、図７に点線で囲んだ部分を拡大したものを概念的に示した図である。図８において、図５および図７と同じ参照番号は同様の構成要素を示す。図８を用いて接触防止部103について詳細に説明する。本実施例では接触防止部103は、図８に示すように、長辺の長さLrが実質的に集光部3の直径の長さLsと同じであって、短辺の長さLtが実質的に5mm、厚みLuが実質的に3mmの直方体である。また本実施例では接触防止部103は、集光部3の下側の端部113から、実質的に5mm離れた位置に設けられ、その中央115が集光部3の中央51を通る垂線bと重なるように設けられている。
【００３４】
本実施例では、このように接触防止部103が設けられているため、撮影時には、撮影者の指が接触防止部103の下側の側面117で係止されるようになる。具体的に説明すると、図９に示すように、撮影時には撮影者の中指51が接触防止部103に係止されるようになるため、中指51が人差指25の方に上がってしまった結果、集光部3に中指51が掛かってしまうことを防ぐことが可能になる。
【００３５】
なお、接触防止部103の形状は図７に示す例に限定するわけではなく、任意の形状を採用することが可能である。図10は、接触防止部103の別の一例を概念的に示した図である。例えば、図10（a）に示すように、楕円であってもよいし、また図10（b）に示すように、接触防止部103における指が当たる部分を、指が収まるような形状にして、指を係止し易くすることも可能である。例えば、図10（b）に示す例では接触防止部103の右下の部分121を緩やかな曲面にして、中指51が収まりやすくなるようにしている。
【００３６】
また例えば図10（c）に示すように、接触防止部103における指が当たる面、すなわち本実施例では下側の面117に例えば摩擦係数の高いシートを貼る等して、この面117の摩擦係数を高くして、指を係止し易くすることも可能である。例えば図10（c）に示す例では、下側の面117に凹凸を設けて摩擦係数を上げて中指51を係止し易くしている。また例えば図10（d）に示すように集光部3を囲むような形状にしてもよい。また図示しないが、例えば、押したり、熱を加えたりすると変形する粘土やゴム等の樹脂を採用して接触防止部103を形成し、撮影者によって好きな形状に変形してもらうようにすることも可能である。なお本発明はこれらの例に限定するわけではない。
【００３７】
また接触防止部103の下側の側面117で係止することに限定するわけではなく、例えば、接触防止部103上で中指が係止されるようにすることも可能である。例えば図示しないが、接触防止部103を表面の摩擦係数の高い1枚のシート等にして、このシート状の接触防止部103上で指が係止されるようにすることも可能である。また図示しないが接触防止部103の上面に指が収まる程度の凹部を形成しておき、この凹部に指が当接して係止されるようにしてもよい。このように接触防止部103上での係止を可能にすると、例えば、カメラが設けられた携帯電話や、小型のデジタルカメラのように小さい撮像装置にも接触防止部103を設けることが可能になり、集光部103に指が掛かってしまうことを防ぐことが可能になる。なお本発明はこれに限定するわけではない。
【００３８】
なお接触防止部103をどのような形状にした場合であっても、接触防止部103によってデジタルカメラが持ち難くならないようにするため、接触防止部103の縦方向の長さ、すなわち本実施例で説明すると図８における短辺の長さLtは、好ましくは2cm以下、より好ましくは0.3cm以上、1cm以下にするとよいが本発明はこれに限定するわけではない。また横方向の長さは、すなわち本実施例で説明すると図８における長辺の長さLrは、集光部の直径以下にすることが好ましいが本発明はこれに限定するわけではない。また厚みLuは、採用する接触防止部103の形状に応じて任意に設定することが可能であるが、あまりにも厚くしてしまうと、例えば写ってしまう場合も考えられるため、好ましくは1.5cm以下、より好ましくは、1cm以下にするとよいが本発明はこれに限定するわけではない。
【００３９】
また接触防止部103を設ける位置は、集光部3の下側であればデジタルカメラ101に応じて任意に設定することが可能である。例えば図11に示すように、デジタルカメラ119を持つ際の指の角度に合わせて、集光部3の下側に斜めに、すなわち本実施例では、左側から右側に向かって下がるように設けることも可能である。図11は、本発明に係わる撮像装置の別の一例としてデジタルカメラ119の正面を概念的に示した図である。図11において図7と同じ参照番号は同様の構成要素を示す。さらに、例えば図12に示すように、デジタルカメラを使用しないときに集光部3を保護する保護部203が設けられている場合は、保護部203に設けることも可能である。
【００４０】
なおどのように設ける場合であっても、集光部3と接触防止部103の間に指が入ってしまうと集光部3に指がかかってしまうため、図８に示すように、接触防止部103は、集光部3と接触防止部103との間の距離、より具体的に説明すると、集光部3の下側の端部113から、接触防止部103の上側の端部、すなわち本実施例では接触防止部103の上面123までの距離131が、好ましくは1.5cm以下に、さらに好ましくは、1cm以下にするとよいが、本発明はこれに限定するわけではない。
【００４１】
図12は、本発明に係わる撮像装置の別の一例としてデジタルカメラ201の正面を概念的に示した図である。図12において、図7と同じ参照番号は同様の構成要素を示すため説明を省略する。図12では、デジタルカメラ201を使用しない場合に集光部3を保護するための保護部203が設けられ、接触防止部103はこの保護部203に設けられている。本実施例では、保護部203は、集光部3の前に設けられて上下にスライドするカバーであり、デジタルカメラ201を使用しないときは、集光部3全体を覆うように集光部3の前に位置し、またデジタルカメラ201を使用するときは、図12に矢印205で示すように動いて、図12に点線207で示す位置にまで移動する。
【００４２】
図12において接触防止部103は、保護部203の上側であって、デジタルカメラ201使用時、すなわち保護部203を図12に点線207で示す位置までにスライドさせた際に、集光部3の表面に指が掛かることを防ぐ位置に設けられている。具体的には、図８と同様に、撮影するために保護部203を点線207で示す位置にスライドさせた際に、集光部3の下側の端部113から実質的に0.5cm離れたところに、接触防止部103の上面123が位置するように設けられている。なおこのような位置であれば、接触防止部103は任意に設けることが可能である。
【００４３】
このように接触防止部103を設けることによって、保護部203が設けられた場合であっても撮影時に、集光部3に指がかかってしまうのを防ぐことが可能になる。なお本発明は、図12に示す例に限定するわけではなく、例えば、図13に示すようにクッション性のあるもの、例えば、バネやスポンジや紙等を用いて、撮影時に接触防止部103が突出するようにすることも可能である。
【００４４】
図13は、本発明に係わる撮像装置の別の一例としてデジタルカメラ301の正面を概念的に示した図である。図13において（a）は、デジタルカメラ301を使用していないときの正面、および一点鎖線dで断裁した際の断面を概念的に示した図であり、また（b）はデジタルカメラ301を使用しているときの正面、および一点鎖線eでそれぞれ断裁した際の断面を概念的に示した図である。また図13において図12と同じ参照番号は同様の構成要素を示すため説明を省略する。
【００４５】
図13では、接触防止部303は、集光部3の下側のデジタルカメラ301の表面に設けられている。また接触防止部303は、例えばバネが底部に設けられているものや、スポンジや紙等で形成されたもの等であって、クッション性を有し、図13に示すように、デジタルカメラ301を使用しない際は矢印305で示す方向に収縮し、逆にデジタルカメラを使用する際は矢印307で示す方向に突出する。よって接触防止部303は、図13（a）に示すようにデジタルカメラ301を使用しない際、すなわち集光部3が保護部203で覆われている際は、縮んで保護部203とデジタルカメラ301との間に収まり、逆に図13（b）に示すようにデジタルカメラ301を使用する際、すなわち保護部203がずれた際は、突出して、集光部3に指が触れてしまったり、掛かってしまうことを防ぐ役割を果たすようになる。
【００４６】
このように接触防止部303がクッション性を有するようにすることで、デジタルカメラ301を使用しない際に接触防止部303、および集光部3の両方を覆う保護部303を設けた場合であっても、集光部3に指が掛かってしまったりすることを防ぐことが可能になる。なお本発明は上下にスライドする保護部303に限定するわけではなく、左右にスライドする保護部を設けることも可能である。この場合は、接触防止部を、クッション性を有するように形成したり、厚みを有さないように形成して、保護部によって集光部を覆った際に、保護部とデジタルカメラの間に接触防止部が収まるようにする必要がある。また図示しないが、図６に示すように集光部が反対側にある場合も、同様にして集光部63の下側に接触防止部を設けることが可能である。
【００４７】
なおこのような接触防止部103、303は、デジタルカメラや保護部に取り外し不能に固定されていてもよいし、取り外し可能に固定されていてもよい。図14は、図８に示す接触防止部103を拡大したものを概念的に示した図であって、接触防止部103のうち、デジタルカメラや保護部と接する面を概念的に示した図である。図14において図８と同じ参照番号は同様の構成要素を示す。
【００４８】
図14において、本実施例では図８に示すように平坦なデジタルカメラ101に接触防止部103が着設するために、着設面311は実質的に平坦な面である。またこの着設面311には、取り外し可能な強度の糊が全体に塗布されている。よって、この糊によってデジタルカメラ101の表面と着設面311とが貼着し、接触防止部103がデジタルカメラ101に取り外し可能に固定される。
【００４９】
このように接触防止部103を取り外し可能に固定することによって、例えば撮影者に応じて接触防止部103の位置を変更したり、デジタルカメラ101を使用しない際は接触防止部103を取り外したり、また接触防止部103が撮影者の指と合わない場合等に別の接触防止部と交換する等が可能になる。なお本発明は、着設面311に糊を塗布することに限定するわけではなく、例えば図15に示すように、引っ掛けて止めるための掛止部313、315を着設面311に設け、この掛止部313、315によってデジタルカメラの表面や保護部等に取り外し可能に着設することも可能である。
【００５０】
また例えば、図示しないが、着設面311に磁石を設けたり、静電気または減圧等によって吸着する吸着部等を設けることによって、接触防止部103をデジタルカメラの表面や保護部に取り外し可能に設けるようにしてもよい。なお本発明はこれらに限定するわけではなく、任意のやり方を採用してデジタルカメラや保護部に接触防止部を設けることが可能である。また取り外し可能に固定することに限定するわけではなく、例えば取り外し不能に固定することも可能である。この場合、接触防止部を例えば取り外しが不能になる糊等を用いて接着することにより設けてもよいし、また例えばデジタルカメラの外装を形成する際に、接触防止部も一緒に形成することにより設けてもよく、任意のやり方を採用することが可能である。
【図面の簡単な説明】
【００５１】
【図１】本発明に係わる撮像装置の一例としてデジタルカメラの正面を概念的に示した図である。
【図２】図２は従来のデジタルカメラの正面を概念的に示した図である。
【図３】図２に示すデジタルカメラ使用時の状況を概念的に示した図である。
【図４】図１に示すデジタルカメラ使用時の状況を概念的に示した図である。
【図５】図１に示すデジタルカメラの集光部、およびレリーズシャッタ部の近傍を概念的に示した図である。
【図６】本発明に係わる撮像装置の別の一例としてデジタルカメラの正面を概念的に示した図である。
【図７】本発明に係わる撮像装置の別の一例としてデジタルカメラの正面を概念的に示した図である。
【図８】図７に示すデジタルカメラの集光部、レリーズシャッタ部、および接触防止部の近傍を概念的に示した図である。
【図９】図７に示すデジタルカメラ使用時の状況を概念的に示した図である。
【図１０】接触防止部の別の一例を概念的に示した図である。
【図１１】本発明に係わる撮像装置の別の一例としてデジタルカメラの正面を概念的に示した図である。
【図１２】本発明に係わる撮像装置の別の一例としてデジタルカメラの正面を概念的に示した図である。
【図１３】本発明に係わる撮像装置の別の一例としてデジタルカメラの正面を概念的に示した図である。
【図１４】図８に示す接触防止部のうち、デジタルカメラや保護部と接する着設面を概念的に示した図である。
【図１５】着設面の別の一例を概念的に示した図である。
【符号の説明】
【００５２】
1  デジタルカメラ
3  集光部
5  発光部
7  レリーズシャッタ部
【図１】
2007293014.tif 000003
【図２】
2007293014.tif 000004
【図３】
2007293014.tif 000005
【図４】
2007293014.tif 000006
【図５】
2007293014.tif 000007
【図６】
2007293014.tif 000008
【図７】
2007293014.tif 000009
【図８】
2007293014.tif 000010
【図９】
2007293014.tif 000011
【図１０】
2007293014.tif 000012
【図１１】
2007293014.tif 000013
【図１２】
2007293014.tif 000014
【図１３】
2007293014.tif 000015
【図１４】
2007293014.tif 000016
【図１５】
2007293014.tif 000017